(57)【要約】【課題】携帯、操作、保管、収納において、安全、簡単、衛生的であり、散歩中にイヌの糞を処理することの負担感を最小限にする事を可能にする「散歩イヌ用携帯トイレ」を提供する。【解決手段】環状枠に、捕集袋（１１）とトイレット・ペーパー（１２）を装着させ、使用時、携帯時、収納時に応じて、柄（４a〜ｄ）の角度と長さの操作によって形態変化を可能にする。  即ち、本考案による散歩イヌ用携帯トイレは、上下一対の環状枠と、伸縮自在の柄（４a〜ｄ）とから成る。ニ体の環状枠の間に捕集袋（１１）とトイレット・ペーパーを巻き込むように装着させ、柄（４）を最短位に圧縮し、把手を環状枠凹面部（３）内に嵌入させて携帯する。収納時もこの状態で壁に掛ける。使用時には、柄基幹部（７）を環状枠に対して110度程起こし、柄を伸延させ、環状枠をイヌの肛門直下に宛がい、糞を道路に落ちる前に捕集する。図5の状態に戻して携帯し、持ち帰る。【選択図】      図４
2005095091.tif 000002
【特許請求の範囲】
【請求項１】
糞捕集時には環状枠（１）及び（２）に長い柄(７)とその伸延部（４a〜ｄ）の付いた立体をしているが、携帯時及び収納時には、伸縮自在の柄（４a〜ｄ）が最短位に圧縮され、かつ最短位になった柄が環状枠方向に畳まれて、環状枠の直径を成し、柄先端の把手（６）が上部環状枠及び下部環状枠の凹面部（３）に嵌入して一体化することにより、平面状の円形となる折畳式構造を有することを特徴とするイヌ用携帯トイレ。
【請求項２】
請求項１で示した携帯時の状態において、ゴム・チューブで覆われた柄頸部（５）と環状枠長弦（１０）とが連結してT字型を形成し、これを散歩者が握って携帯することを特徴とする請求項１記載のイヌ用携帯トイレ。  
【請求項３】
捕集袋と環状枠との間の摩擦を大きくするために、上下環状枠のそれぞれの接触面に沿って一周する様にゴム製のテープ（１８）を貼ることにより、トイレット・ペーパーを敷いた捕集袋（１１）の縁を環状枠の間に巻き込むだけで、捕集袋を固定する止め具も、捕集糞の臭いの漏出を防ぐ蓋も不要である構造を有する請求項１又は２記載のイヌ用携帯トイレ。
【発明の詳細な説明】
【技術分野】
【０００１】
本発明は、散歩中のイヌの糞を道路上に落ちる前に捕集し、持ち帰り、処理する散歩イヌ用携帯トイレに関する。  
【背景技術】
【０００２】
従来の技術には、「トイレット・ペーパー及び袋を使う技術」と、「器具を使う技術」とがある。「トイレット・ペーパー及び袋を使う技術」では、道路上に落ちた糞をトイレット・ペーパーで掴み、袋に入れ、持ち帰る方法（a）か、道路上にトイレット・ペーパーを広げ、その上に糞をさせ、それをトイレット・ペーパーで包み、袋に入れ、持ち帰る方法（ｂ）とがある。
【０００３】
「器具を使う技術」では、道路上に落ちた糞を、器具で回収し、持ち帰る方法（ｃ）か、糞が道路上に落ちる前に、器具をイヌの肛門の下に宛がって、糞を受け止め、持ち帰る方法（ｄ）とがある。
【発明の開示】
【発明が解決しようとする課題】
【０００４】
道路上に落ちた糞をトイレット・ペーパー又は器具で回収する（a）及び（ｃ）の技術では、道路に糞が一部付着し、不衛生である。特に雨の日には糞の扱いが困難な技術である。
【０００５】
「トイレット・ペーパー及び袋を使う技術」（a）及び（ｂ）の技術では、トイレット・ペーパーを介するとは言え、糞を手で掴むことには不潔感があり、糞が手に付着することも場合によってはあり、衛生上、問題である。
【０００６】
「トイレット・ペーパー及び袋を使う技術」（a）及び（ｂ）の技術、及び「器具を使う技術」の内、道路上に落ちた糞を、器具で回収し持ち帰る方法（ｃ）の技術では、散歩者は路上に屈み込まなければならず、面倒である。
【０００７】
「器具を使う技術」（ｃ）及び（ｄ）の技術では、使用の度に、糞が器具に付着する。器具を常に衛生的に保管することを、毎日の散歩の後に行うことには手間がかかる。不潔に放置された器具からはハエ等の害虫の媒介により、病原菌が人体に害を及ぼす危険がある。  
【０００８】
更に、「器具を使う技術」（ｃ）及び（ｄ）の技術で用いられる器具には、重い、嵩張る、携帯しにくいといった問題がある。特に柄付きの器具は、伸縮式や折畳式の構造を有するものでも、柄の部分が棒状であり、これは携帯し辛く取り落としやすい為に、リード・ロープを持つ手とは反対の手で持たなければならず、その結果、散歩者の両手が塞がり、散歩者が転倒しそうになった時の防御を困難にし、危険である。同時にこの状態は、歩行中の散歩者の上肢のリズミカルな運動を阻害し、運動生理学的な歩行運動を不自然なものにし、散歩者を疲労させる。その為、イヌの散歩中に、本来、イヌと共に楽しめるはずの解放感を十分に味わうことが出来ない。
【課題を解決するための手段】
【０００９】
本発明は、ヒンジ（１７）で結合する上下ニ体の環状枠（１）及び（２）と伸縮自在の柄（４a〜ｄ）、柄の先端にT字状に連結する把手（６）とで構成される。
【００１０】
環状枠は円形を原型とするが、円の中心を挟んで両側に長短２本の弦、即ち、長弦（１０）及び短弦（９）を平行に作り、この２本の弦とこれらを結ぶ２本の弧とがつながって形成される。２本の弦と直交する直径上に、携帯時及び収納時には、柄基幹部（７）と柄頚部（５）とが位置する。柄頚部（５）の先端に、これとT字状に連結する把手（６）が付いている。携帯時及び収納時には、把手（６）の一部が長弦の凹面部（３）に嵌入し、把手（６）は長弦（１０）の一部を構成する。
【００１１】
柄基幹部（７）は、柄基底部（８）を介して環状枠短弦に連結している。柄基幹部（７）は環状枠短弦に対し、ヒンジを支点として１１０度程度の角度で引き起こされる。  柄は、円筒形の柄基幹部（７）と、その内部から、ラジオ等のアンテナの様に幾つかの節（４a〜ｄ）より成り漸次伸延される延長部とから構成される。
【００１２】
円筒形の柄の節（４a〜ｄ）の内、最内側にあり、従って最先端を成す節（４ｄ）のみ他の節及びこれを格納する柄基幹部より幾分長く、その為、柄基幹部（７）に格納されない柄頚部（５）を残す。
【００１３】
柄頚部（５）はソフトなゴム・チューブで覆われ、本考案による散歩イヌ用携帯トイレを携帯する散歩者の指への刺激を緩和する。
【００１４】
上部環状枠（１）は下部環状枠（２）に対して、ヒンジを支点として３０度程度の角度で開き、両者間に、トイレット・ペーパー（１２）を中に敷いた捕集袋（１１）を巻き込む様に装着させる。
【発明の効果】
【００１５】
各請求項別に、本発明の効果を述べる。
請求項１の発明によれば、折畳んだ際、平面状になる構造は、携帯時の散歩者の動きを身軽にし、また収納時には、壁に固定したフックに手軽に掛けることを可能にし、スペースを殆ど必要としない。散歩に出かける際、瞬時に取り外して持参することが出来る。
【００１６】
請求項２の発明によれば、散歩者が握る部位は、T字型をしていることから、手で握るばかりでなく指の間でも挟む構造となり、強い力で努力して握っていなくても取り落とし
にくい。柄頸部を挟む指の側面にはソフトなゴム・チューブが当たるので違和感が無く、握る部分である環状枠長弦も、その断面は円形で持ちやすく、リード・ロープを握るのと同じ手で一緒に手軽に携帯することが可能である。
【００１７】
請求項３の発明によれば、イヌ用携帯トイレは、入手しやすい捕集袋（１１）とトイレット・ペーパー（１２）を使用する為に、経済性に優れている。又、これらによって常に糞の汚れから保護されており、汚れた器具を拭う、洗浄するといった手間と時間を省く。器具が不潔に放置された場合に生じる周辺の汚染の問題も起こらない。
【００１８】
また、請求項３の発明によれば、糞を捕集袋（１１）で持ち運ぶ際、捕集糞（１６）の重量で、散歩者の手（１５）の中の環状枠は垂直下方に牽引される。この力が上下二対の環状枠を相互に圧迫し、それらの間に挿入された捕集袋（１１）を強く挟み、ゴム製テープ（１８）のストッパーとしての摩擦力と相まって、捕集袋を環状枠に強く固定する。この機能によって、捕集糞によって捕集袋が重くなっても、捕集袋は環状枠から滑り落ちることは無い。
【００１９】
更に請求項３の発明によれば、捕集糞の重量で垂直下方に牽引された環状枠短弦は、捕集袋の上部内側面に接近し、これにより捕集袋の開口部を塞ぐる為、捕集袋内部からの捕集糞の臭いの漏出を妨げる。
【００２０】
（００１８）及び（００１９）に述べた如く、請求項３の発明によれば、環状枠と捕集袋とを固定する為に止め具を設置することは不要であり、かつ、捕集糞を収容した捕集袋に、捕集糞の臭いの漏出を妨げる蓋を設置することも不要である。
【００２１】
請求項３の発明により、携帯時の環状枠と捕集袋の重心が、散歩者の手の鉛直下方に位置する為、これを携帯する負担感は少ない。
【００２２】
以上、請求項１、２，３の発明によって、持ちやすく、取り落としにくく、握る力が少なくて済み、携帯の負担感が少なく、リード・ロープと一緒に持てるという、携帯上の利便性の他に、経済性、衛生性、糞処理の簡便性、収納の容易性、散歩運動の安全性と快適性という、散歩イヌ用携帯トイレに必要な要件をすべて満たしている。
【発明を実施するための最良の形態】
【００２３】
発明の実施の形態を図面を参照して説明する。  
図１は、柄基幹部（７）を１１０度程度の角度で環状枠から引き起こし、柄（４a〜ｄ）を最長位に伸延させ、更に、上部環状枠（１）を下部環状枠（２）に対して、ヒンジ（１７）を支点として３０度程度の角度で開いたところを示している。
【００２４】
図２は、図１の状態から柄を最短位に短縮したところの斜視図。柄の最先端を形成する柄頚部（５）のみが、柄基幹部（７）に格納されずに残る。
【００２５】
図３は、図２の状態から、更に、柄の把手（６）と上部環状枠（１）及び下部環状枠（２）とを重ね合わせたところの斜視図である。把手のある側の弦が長弦（１０）、柄基底部（８）のある側の弦が短弦（９）である。この時、柄の把手（６）は、上部環状枠及び下部環状枠の凹面部（３）に嵌入し、環状枠と一体化する。
【００２６】
散歩者は、携帯時には、図８のように、環状枠長弦（１０）を握る。その時、柄頚部（５）の両側に、人差指と中指、又は、中指と薬指が位置する。（図８では、散歩者の中指と薬指の間に挟まっている柄頸部は見えない。）この図において、装着させた捕集袋とトイレット・ペーパーの図は省略してある。この図では、本発明によるイヌ用携帯トイレを握っているのと同じ側の手（１５）でリード・ロープ（１４）をも一緒に握ることが可能であることを示すために、リード・ロープを破線で示してある。
【００２７】
図４は、環状枠（１）及び（２）に捕集袋（１１）とトイレット・ペーパー（図省略）を装着させ、柄（４a〜ｄ）を伸延させた使用時の状態である。即ち、柄基幹部（７）は環状枠に対し、ヒンジ（１７）を支点として１１０度程度引き起こされる。把手（６）を環状枠より遠位方向に引くことにより、円筒形の柄の節（４a〜ｄ）が順次引き出されて、柄は伸延され、散歩者の身長に合わせた長さをとる。この状態で把手（６）を、環状枠が水平になるように持って、捕集袋開口部をイヌの肛門直下に宛がい、糞を、地面に落ちる前に、トイレット・ペーパーを敷いた捕集袋（１１）の中に捕集する。上部環状枠（１）及び下部環状枠（２）は捕集袋（１１）の下にあるため、これを破線で示す。
【００２８】
図５は、糞捕集後、図４の状態から、柄（４a〜ｄ）を最短位に短縮させ、更に、柄の把手（６）を、上部環状枠及び下部環状枠の凹面部（３）に嵌入させた状態である。
【００２９】
図９は、上部及び下部環状枠が、捕集袋中の捕集糞（１６）の重量により垂直下方に牽引されることにより、捕集袋開口部が、環状枠と捕集袋の内側部でより強く塞がれ、捕集糞の臭いの漏出を妨げている状態を示している。
【００３０】
図６は、図５A−A線における断面図である。トイレット・ペーパーを内側に敷いた捕集袋の外縁を上部環状枠と下部環状枠の間に通し、上下の環状枠でこれを挟む。捕集袋（１１）を実線によって、トイレット・ペーパー（１２）を破線によって示す。
【００３１】
この装着法によって、捕集袋（１１）とトイレット・ペーパー（１２）は、環状枠を糞の付着から保護する役割をも果たす。
【００３２】
図１０は、図６の方法に従って捕集袋を（トイレット・ペーパーの図は省略）装着した環状枠を、その長弦を持って図９のように携帯したところの垂直断面図である。この図において、補修袋（１１）は破線で示してある。捕集袋の中に捕集糞があると、捕集糞（１６）にかかる重力で、二枚重なった捕集袋部分（１１a）及び（１１ｂ）の内、（１１a）が（１１ｂ）を押し付け、（１１a）も（１１ｂ）も共に、短弦に固定される。また、捕集袋部分（１１a）が重力（１９）の方向に牽引される力は、上部環状枠を下部環状枠に押し付け、両者の間に挿入された捕集袋部分（１１ｃ）は、強く挟まれる。更に捕集袋部分（１１ｃ）は、ゴム製テープによって滑りを制限されている。よって、捕集袋（１１）は、環状枠（１）及び（２）から滑り落ちることは無い。
また、捕集糞（１６）の重量で垂直下方に牽引された環状枠短弦（９）は、捕集袋の内側面（２０）に接近し、これにより捕集袋の開口部を塞ぐ。
【００３３】
持ち帰った糞は、水洗トイレの真上からトイレット・ペーパー（１２）ごと落下させて水と共に流す。その為には、柄を図5の状態から１１０度程度の角度に引き起こし、水洗トイレの真上で捕集袋（１１）の開放口を下に向ける。
【００３４】
環状枠に残った捕集袋（１１）に新たにトイレット・ペーパー（１２）を装着させるか、新たに捕集袋（１１）とトイレット・ペーパー（１２）とを装着させ、把手（６）を長弦凹面部（３）に嵌入させ、図５の状態に戻す。
【００３５】
図７は、新たに捕集袋（図省略）とトイレット・ペーパー（図省略）とを装着させた図５の状態で、壁のフックに掛けて収納したところである。この図ではリード・ロープ（１４）も一緒に収納することが可能であることを示すために、これを破線で示してある。
【図面の簡単な説明】
【００３６】
【図１】ヒンジ（１７）を支点として柄基幹部（７）と上部環状枠（１）を下部環状枠（２）から離し、柄（４a〜ｄ）を最長位に伸延させたところの斜視図。
【図２】図１の状態から柄（４a〜ｄ）を最短位に短縮しところの斜視図。
【図３】図2の状態から更に、柄基幹部（７）を下部環状枠の方向に倒し、柄の把手（６）と上部環状枠（１）を下部環状枠（２）に合わせたところの斜視図。この時、柄の把手（６）は上下環状枠の凹面部（３）に嵌入している。これが、携帯時、及び、収納時の状態である。
【図４】糞捕集時の状態を示す斜視図。  破線は捕集袋（１１）とトイレット・ペーパー（図省略）で覆われて見えなくなった上部及び下部環状枠。
【図５】図４の状態から柄（４a〜ｄ）を最短位に圧縮し、環状枠長弦に向かって畳んだところの斜視図。
【図６】図５のＡ−Ａ線で切った時の断面図。捕集袋（１１）を実線で、トイレット・ペーパー（１２）を破線で示してある。
【図７】図５の状態で、壁のフックに掛けて収納したところ。背景は壁。図５で示した捕集袋（１１）は省略してある。この図ではリード・ロープ（１４）も一緒に収納することが可能であることを示すために、これを破線で示してある。
【図８】図５の状態で、散歩者が環状枠長弦（１０）を握って携帯しているところ。図５で示した捕集袋（１１）は省略してある。この図ではリード・ロープ（１４）も同じ手で一緒に携帯することが可能であることを示すために、これを破線で示してある。
【図９】捕集糞（破線で示してある）の入った捕集袋（１１）を、散歩者がリード・ロープと共に携帯している図。糞の重量で、散歩者の手（１５）の中の環状枠は垂直下方に下垂し、これが捕集袋（１１）の開口部を強く閉じ、内部からの臭いの漏出を妨げている。
【図１０】図９において、散歩者が左手（１５）で環状枠長弦を握っている部分の垂直断面図である。
【符号の説明】
【００３７】
１            上部環状枠
２            下部環状枠
３            上部及び下部環状枠の凹面部
４ａ〜ｅ      柄
５            柄頚部
６            柄の把手
７            柄基幹部
８            柄基底部
９            環状枠短弦
１０          環状枠長弦
１１          捕集袋
１１a         捕集袋部分
１１ｂ        捕集袋部分
１１ｃ        捕集袋部分
１２          トイレット・ペーパー
１３          フック
１４          リード・ロープ
１５          散歩者の手
１６          捕集糞
１７          ヒンジ
１８          ゴム製テープ
１９          重力
２０          捕集袋の内側面
【図１】
2005095091.tif 000003
【図２】
2005095091.tif 000004
【図３】
2005095091.tif 000005
【図４】
2005095091.tif 000006
【図５】
2005095091.tif 000007
【図６】
2005095091.tif 000008
【図７】
2005095091.tif 000009
【図８】
2005095091.tif 000010
【図９】
2005095091.tif 000011
【図１０】
2005095091.tif 000012